(57)【要約】【課題】所定部材に表されたロゴ、文字、キャラクター等の立体感を高めることで視覚的魅力に溢れた遊技機を提供する。【解決手段】透光性を有するレンズ体４６と、このレンズ体４６の外周に沿って設けられ且つ遮光性の外周部６２とを所定方向の一方側に有する所定部材を備え、レンズ体４６に、外周部６２よりも所定方向の一方側へ突出する凸部５５と、外周部６２よりも所定方向の他方側へ凹入する凹部５６とを設ける。また、例えば凸部５５と外周部６２との間に凹部５６を配置し、凸部５５と凹部５６との間に所定方向に対する傾斜部５８を設けてもよい。また、レンズ体４６の後側に、凸部５５に対応して発光体６４を配置してもよい。【選択図】図６
2016154668.tif 000002
【特許請求の範囲】
【請求項１】
透光性を有するレンズ体と、このレンズ体の外周に沿って設けられた外周部とを所定方向の一方側に有する所定部材を備え、
前記レンズ体に、前記外周部よりも前記所定方向の一方側へ突出する凸部と、前記外周部よりも前記所定方向の他方側へ凹入する凹部とを設けた
ことを特徴とする遊技機。
【請求項２】
前記凸部と前記外周部との間に前記凹部を配置した
ことを特徴とする請求項１に記載の遊技機。
【請求項３】
前記凹部と前記外周部との間に前記凸部を配置した
ことを特徴とする請求項１に記載の遊技機。
【請求項４】
前記凸部と前記凹部との間に前記所定方向に対する傾斜部を設けた
ことを特徴とする請求項１〜３の何れかに記載の遊技機。
【請求項５】
前記凸部は前記所定方向に見て略線状に配置された線状凸部を備え、
前記線状凸部における突出量を該線状凸部の長手方向に沿って変化させた
ことを特徴とする請求項１〜４の何れかに記載の遊技機。
【請求項６】
前記凹部は前記所定方向に見て略線状に配置された線状凹部を備え、
前記線状凹部における凹入量を該線状凹部の長手方向に沿って変化させた
ことを特徴とする請求項１〜５の何れかに記載の遊技機。
【請求項７】
前記レンズ体の後側に、前記凸部に対応して発光体を配置した
ことを特徴とする請求項１〜６の何れかに記載の遊技機。
【請求項８】
所定領域内における内部領域に前記凸部又は前記凹部を配置し、
前記所定領域内における前記内部領域の外側の外部領域に前記凹部又は前記凸部を配置した
ことを特徴とする請求項１に記載の遊技機。
【請求項９】
所定領域内の両端側に前記凸部又は前記凹部を、中央側に前記凹部又は前記凸部を配置し、
それら両端側の前記凸部又は前記凹部と前記中央側の前記凹部又は前記凸部との間を滑らかに連結した
ことを特徴とする請求項１に記載の遊技機。
【請求項１０】
所定領域内の一端側に前記凸部又は前記凹部を、他端側に前記凹部又は前記凸部を配置し、
それら一端側の前記凸部又は前記凹部と前記他端側の前記凹部又は前記凸部との間を滑らかに連結した
ことを特徴とする請求項１に記載の遊技機。
【請求項１１】
前記外周部を遮光性とした
ことを特徴とする請求項１〜１０の何れかに記載の遊技機。
【請求項１２】
前記所定部材は、第１部材と第２部材とを備え且つ前記第１部材側の第１対向部と前記第２部材側の第２対向部とが互いに近接又は当接する合体状態において所定形状を形成するように構成され、
前記第１部材と前記第２部材とは、前記第１対向部と前記第２対向部とが離間する分離状態と前記合体状態との間で相対移動可能であり、
前記第１対向部と前記第２対向部とで凹凸形状を対応させた
ことを特徴とする請求項１〜１１の何れかに記載の遊技機。
【請求項１３】
前記レンズ体が、前記所定部材に表示される文字の少なくとも一部を構成する
ことを特徴とする請求項１〜１２の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、その機種を象徴するロゴ、文字、キャラクター等を例えば前面側に表した装飾プレート等の部材を配置したものが多い（例えば特許文献１参照）。そのような部材の前面側には、例えば所定のロゴ等の形状に形成されたレンズ体が配置され、内部のＬＥＤ等によってそのレンズ体が発光してロゴ等がくっきりと浮かび上がるようになっている。
【先行技術文献】
【特許文献】
【０００３】
【特許文献１】特開２０１４−２２１１２４号公報
【発明の概要】
【発明が解決しようとする課題】
【０００４】
例えば特許文献１に記載された従来の遊技機では、ロゴ部分を例えばその周辺部分よりも前側に突出させることによってロゴが浮かび上がって見えるようにしている。しかしながら、ロゴの表面は平面であるため、全体的に立体感が乏しく、また見る角度が変わっても見え方に大差がないために視覚的魅力に欠ける問題があった。
本発明は上記事情に鑑みてなされたものであり、所定部材に表されたロゴ、文字、キャラクター等の立体感を高めることで視覚的魅力に溢れた遊技機を提供することを目的とする。
【課題を解決するための手段】
【０００５】
本発明は、透光性を有するレンズ体４６と、このレンズ体４６の外周に沿って設けられた外周部６２とを所定方向の一方側に有する所定部材２８を備え、前記レンズ体４６に、前記外周部６２よりも前記所定方向の一方側へ突出する凸部５５と、前記外周部６２よりも前記所定方向の他方側へ凹入する凹部５６とを設けたものである。
また、前記凸部５５と前記外周部６２との間に前記凹部５６を配置してもよいし、前記凹部５６と前記外周部６２との間に前記凸部５５を配置してもよい。また、前記凸部５５と前記凹部５６との間に前記所定方向に対する傾斜部５８を設けてもよい。
前記凸部５５は前記所定方向に見て略線状に配置された線状凸部を備え、前記線状凸部における突出量を該線状凸部の長手方向に沿って変化させてもよい。また、前記凹部５６は前記所定方向に見て略線状に配置された線状凹部を備え、前記線状凹部における凹入量を該線状凹部の長手方向に沿って変化させてもよい。また、前記レンズ体４６の後側に、前記凸部５５に対応して発光体６４を配置してもよい。
また、所定領域内における内部領域に前記凸部５５又は前記凹部５６を配置し、前記所定領域内における前記内部領域の外側の外部領域に前記凹部５６又は前記凸部５５を配置してもよい。或いは、所定領域内の両端側に前記凸部５５又は前記凹部５６を、中央側に前記凹部５６又は前記凸部５５を配置し、それら両端側の前記凸部５５又は前記凹部５６と前記中央側の前記凹部５６又は前記凸部５５との間を滑らかに連結してもよい。
或いは、所定領域内の一端側に前記凸部５５又は前記凹部５６を、他端側に前記凹部５６又は前記凸部５５を配置し、それら一端側の前記凸部５５又は前記凹部５６と前記他端側の前記凹部５６又は前記凸部５５との間を滑らかに連結してもよい。前記外周部６２は遮光性としてもよい。
また、前記所定部材２８は、第１部材２８ａと第２部材２８ｂとを備え且つ前記第１部材２８ａ側の第１対向部７３ａと前記第２部材２８ｂ側の第２対向部７３ｂとが互いに近接又は当接する合体状態において所定形状を形成するように構成され、前記第１部材２８ａと前記第２部材２８ｂとは、前記第１対向部７３ａと前記第２対向部７３ｂとが離間する分離状態と前記合体状態との間で相対移動可能であり、前記第１対向部７３ａと前記第２対向部７３ｂとで凹凸形状を対応させてもよい。
また、前記レンズ体４６が、前記所定部材２８に表示される文字の少なくとも一部を構成するようにしてもよい。
【発明の効果】
【０００６】
本発明によれば、所定部材に表されたロゴ、文字、キャラクター等の立体感を高めることができ、視覚的魅力が向上する利点がある。
【図面の簡単な説明】
【０００７】
【図１】本発明の第１の実施形態に係るパチンコ機の全体斜視図である。
【図２】同パチンコ機の遊技盤の正面図である。
【図３】同パチンコ機の装飾プレートの斜視図である。
【図４】同パチンコ機の装飾プレートの要部分解斜視図である。
【図５】同パチンコ機の装飾プレートの要部正面図である。
【図６】同パチンコ機のＡ−Ａ断面図（ａ）及びＢ−Ｂ断面図（ｂ）である。
【図７】同パチンコ機のＣ−Ｃ断面図である。
【図８】同パチンコ機の文字表示部における凹凸分布の概略を示す図である。
【図９】本発明の第２の実施形態に係るパチンコ機のＡ−Ａ断面図（ａ）及びＢ−Ｂ断面図（ｂ）である。
【図１０】同パチンコ機の文字表示部における凹凸分布の概略を示す図である。
【図１１】本発明の第３の実施形態に係るパチンコ機のＡ−Ａ断面図（ａ）及びＢ−Ｂ断面図（ｂ）である。
【図１２】同パチンコ機の文字表示部における凹凸分布の概略を示す図である。
【図１３】本発明の第４の実施形態に係るパチンコ機のＡ−Ａ断面図（ａ）及びＢ−Ｂ断面図（ｂ）である。
【図１４】同パチンコ機の文字表示部における凹凸分布の概略を示す図である。
【図１５】本実施形態の変形例に係る文字表示部における凹凸分布の概略を示す図である。
【図１６】本発明の第５の実施形態に係るパチンコ機の遊技盤の要部正面図である。
【図１７】同パチンコ機の装飾プレートの要部正面図である。
【図１８】同パチンコ機のＤ−Ｄ断面図である。
【図１９】同パチンコ機のＥ矢視図（ａ）及びＦ矢視図（ｂ）である。
【図２０】同パチンコ機の文字表示部における凹凸分布の概略を示す図である。
【図２１】レンズ体の形状におけるその他の例を示す断面図である。
【発明を実施するための形態】
【０００８】
以下、本発明の実施形態を図面に基づいて詳述する。図１〜図８は本発明をパチンコ機に採用した第１の実施形態を例示している。図１に示す遊技機本体１は、矩形状の外枠２と、この外枠２の前側にヒンジ３により縦軸廻りに開閉自在に枢着された前枠４とを備えている。
【０００９】
前枠４には、その上部側に遊技盤５（図２）が例えば前側から着脱自在に装着されている。また、前枠４の前側には、遊技盤５の前側に対応する第１前扉６と、この第１前扉６の下側に配置された第２前扉７とが、ヒンジ３と略同一軸心上のヒンジ８により縦軸廻りに開閉自在に枢支されている。なお、上下の第１前扉６と第２前扉７とを一体にして、一つの前扉とすることも可能である。
【００１０】
第２前扉７の前側には発射用の遊技球を貯留する球貯留皿９が配置され、その側方に、遊技球を発射する発射手段（図示省略）を作動させるための発射ハンドル１０が設けられている。第１前扉６には遊技盤５の遊技領域１１（図２参照）に対応するガラス窓１２が設けられ、遊技者はこのガラス窓１２を介して遊技領域１１内を視認可能である。
【００１１】
遊技盤５の前面には、遊技領域１１を取り囲むガイドレール１３が配置されると共に、その遊技領域１１内に、中央表示枠１４、画像表示手段１５、普通図柄始動手段１６，１７、第１特別図柄始動手段１８、第２特別図柄始動手段１９、特別遊技用の開閉入賞手段２０、普通入賞手段２１、普通図柄表示手段２２、第１特別図柄表示手段２３、第２特別図柄表示手段２４等が配置されている。
【００１２】
中央表示枠１４は、遊技領域１１の左右方向略中央における上部側に配置され、遊技盤５に形成された装着開口部（図示省略）に対応して前側から装着されている。中央表示枠１４には、内部領域１４ａへの遊技球の侵入を阻止するための外周壁２５がその外周側の略全周にわたって形成されると共に、その内部領域１４ａの略中央には画像表示手段１５に対応する表示窓２６が、またその表示窓２６の下部前側にはステージ２７が夫々設けられている。また、中央表示枠１４の前側には、例えば表示窓２６の上側に対応して装飾プレート２８が配置され、また例えば表示窓２６の側方には普通図柄表示手段２２、第１特別図柄表示手段２３、第２特別図柄表示手段２４等の表示手段が配置されている。
【００１３】
発射手段により発射されて遊技領域１１の上部側に到達した遊技球は、中央表示枠１４の上端部で左右に振り分けられ、中央表示枠１４の左側の左側通路２９ａと右側の右側通路２９ｂとの何れかを流下するようになっている。なお、画像表示手段１５は例えば液晶表示手段で、表示窓２６の後側に対応して配置され、例えば遊技盤５の裏側に着脱自在に固定されている。
【００１４】
ステージ２７は、例えば外周壁２５の下部側の一部を構成しており、外周壁２５に設けられた入球口３０を経て内部領域１４ａ内に流入した遊技球を左右方向に転動させた後、左右方向略中央の中央落下部３１ａとその左右両側の側部落下部３１ｂとの何れかから内部領域１４ａの外側の遊技領域１１に落下させるようになっている。なお、入球口３０は中央表示枠１４の左右の少なくとも一方、例えば左側に配置されており、左側通路２９ａを流下してきた遊技球が流入可能となっている。
【００１５】
普通図柄始動手段１６，１７は、例えば通過する遊技球を検出可能な通過ゲート式で、例えば左側通路２９ａ及び右側通路２９ｂに対応して配置され、例えば中央表示枠１４に一体に形成された支持板３２ａ，３２ｂに設けられている。第１特別図柄始動手段１８、第２特別図柄始動手段１９は、中央表示枠１４の下側でアウト口３３の上側に配置されている。これら特別図柄始動手段１８，１９の左側には複数個、例えば３個の普通入賞手段２１が配置され、右側には開閉入賞手段２０が配置されている。
【００１６】
普通図柄表示手段２２は、普通図柄を変動表示するためのもので、複数個の普通図柄（例えば「○」「×」の２種類）に対応する複数個の発光体（例えばＬＥＤ）を備え、普通図柄始動手段１６，１７の何れかが遊技球を検出することに基づいてそれら複数の発光体が所定順序で発光するように点滅して、普通図柄始動手段１６，１７による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。なお、変動後の普通図柄は１／１０程度の所定の確率で当たり態様となり、普通利益状態が発生する。
【００１７】
第１特別図柄表示手段２３、第２特別図柄表示手段２４は発光部位の変化等により第１特別図柄、第２特別図柄を変動表示可能なセグメント式等の表示手段により構成されており、第１特別図柄表示手段２３は第１特別図柄始動手段１８が、第２特別図柄表示手段２４は第２特別図柄始動手段１９が遊技球を検出することを条件に、第１特別図柄、第２特別図柄を所定時間変動させ、第１特別図柄始動手段１８、第２特別図柄始動手段１９による遊技球検出時に取得された特別乱数情報に含まれる大当たり判定乱数値が予め定められた大当たり判定値と一致する場合には所定の大当たり態様（特定態様）で、それ以外の場合には外れ態様で停止するようになっている。
【００１８】
なお、変動後の第１特別図柄、第２特別図柄は、通常確率状態中は１／３５０等の通常確率で大当たり態様となり、特別利益状態が発生する。特別利益状態終了後に発生する高確率状態中は、第１特別図柄、第２特別図柄は１／３５等、通常確率よりも高確率で大当たり態様となる。また、第１特別図柄、第２特別図柄は、例えば一方が変動中の場合には他方は変動せず、特別利益状態中は何れも変動しない。また、各特別図柄の始動検出は所定の上限数（例えば４）まで保留可能であり、両方に１以上の保留がある場合には、第２特別図柄表示手段２４の図柄変動が優先する。
【００１９】
画像表示手段１５は第１特別図柄表示手段２３、第２特別図柄表示手段２４に対応する演出図柄表示手段３４等を構成するもので、第１特別図柄、第２特別図柄の変動時にその図柄変動に同期して変動する１個又は複数個、例えば３個の演出図柄３４ａ〜３４ｃを変動表示する。演出図柄３４ａ〜３４ｃは、第１特別図柄始動手段１８、第２特別図柄始動手段１９による遊技球の検出を条件に、抽選により決定された所定の演出図柄変動パターンに従って所定時間変動した後、第１特別図柄、第２特別図柄の変動終了に同期して所定の順序で順次停止する。
【００２０】
演出図柄３４ａ〜３４ｃの変動後の停止図柄は、第１特別図柄、第２特別図柄が大当たり態様で停止する場合には例えば全てが揃う演出大当たり態様となり、第１特別図柄、第２特別図柄が外れ態様で停止する場合には少なくとも一部が異なる演出外れ態様となる。なお、演出図柄３４ａ〜３４ｃには例えば０〜９までの数字図柄が使用される。
【００２１】
第１特別図柄始動手段１８は非開閉式で、中央表示枠１４における中央落下部３１ａの下側に上向き開口状の第１特別始動口１８ａを備え、この第１特別始動口１８ａに入賞した遊技球を検出可能に構成されている。この第１特別図柄始動手段１８は右側通路２９ｂを流下する遊技球よりも左側通路２９ａを流下する遊技球の方が入賞し易くなっている。
【００２２】
第２特別図柄始動手段１９は、前向き開口状の第２特別始動口１９ａと、例えば下部側の横軸廻りに揺動して第２特別始動口１９ａを開閉可能な開閉部材１９ｂと、その開閉部材１９ｂの左右両側に配置された内向き傾斜状の案内部材１９ｃとを備えた開閉式で、例えば第１特別図柄始動手段１８の下側に配置されている。この第２特別図柄始動手段１９は、普通図柄表示手段２２の変動後の停止図柄が当たり態様で停止した場合に発生する普通利益状態において、開閉部材１９ｂが所定の開閉パターンに従って前側に開放して後ろ下がりの傾斜状となり、例えば案内部材１９ｃによってその開状態の開閉部材１９ｂ上に案内されてきた遊技球を後向きに案内して第２特別始動口１９ａに入賞させるようになっている。第２特別図柄始動手段１９の開閉パターンには、開放時間の短い通常パターン（例えば０．２秒×１回）と開放時間の長い延長パターン（例えば２秒×３回）とがあり、例えば通常確率状態中は通常パターンが、高確率状態中は延長パターンが夫々選択される。
【００２３】
開閉入賞手段２０は、例えば前向き開口状に形成された横長の可変入賞口２０ａと、例えば下部側の横軸廻りに揺動して可変入賞口２０ａを開閉可能な開閉板２０ｂとを備えた開閉式で、例えば中央表示枠１４の下側で普通図柄始動手段１７と第２特別図柄始動手段１９との間に配置されている。この開閉入賞手段２０は、変動後の第１特別図柄、第２特別図柄が大当たり態様で停止した場合に発生する特別利益状態において、開閉板２０ｂが所定の開放パターンに従って前側に開放して後ろ下がりの傾斜状となり、その開閉板２０ｂ上に落下してきた遊技球を後向きに案内して可変入賞口２０ａに入賞させるようになっている。
【００２４】
なお、開閉入賞手段２０の開放パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、それらの何れかが例えば抽選により選択される。
【００２５】
続いて、中央表示枠１４に装着されている装飾プレート（所定部材）２８の構成について、図２〜図８を参照しつつ説明する。この装飾プレート２８は、例えば中央表示枠１４の上部前側に着脱自在に装着され、図３に示すようにその前側（所定方向の一方側）に一又は複数（ここでは４つ）の文字表示部４１〜４４を例えば左右方向の一列状に備えており、図４に示すように本体ケース４５、レンズ体４６、前カバー４７、発光基板４８、拡散手段４９等を備えている。
【００２６】
４つの文字表示部４１〜４４には、例えば「戦」、「国」、「恋」、「姫」の各文字が１つずつ表示されている。文字表示部４１〜４４は、例えば夫々が独立した略平面状で、例えば左右方向外側の文字表示部４１，４４が内側の文字表示部４２，４３よりも後側となるように前後方向の段差状に配置されている。なお、中央表示枠１４の前面側には、文字表示部４１〜４４の他に、文字以外の絵柄等を表示する絵柄表示部５０を備えている。本実施形態では、絵柄表示部５０には刀をデフォルメした絵柄が例えば凹凸形状により立体的に表されている。
【００２７】
本体ケース４５は、例えば遮光性の合成樹脂により横長状の略箱形に形成されており、その前面側に、文字表示部４１〜４４に対応して複数（４つ）のレンズ装着部５１が形成されている。レンズ装着部５１は、図４等に示すように、対応する文字表示部４１〜４４に表示される文字の形状に応じた開口部５２と、この開口部５２を形成する台座部５３とで構成されている。台座部５３は、その前面が略平面状に形成され、開口部５２の縁部には、開口部５２の内側に向けて突出する突出部５４が、開口部５２の前端側よりも後側に設けられている。
【００２８】
また台座部５３は、文字表示部４１〜４４に表示される文字の種類によっては、開口部５２によって、外周側の外台座部５３ａとその内側の一又は複数の内台座部５３ｂとに分離する場合がある。この場合には、外台座部５３ａと内台座部５３ｂとの間、或いは複数の内台座部５３ｂの間が、開口部５２を例えばその後側で横切る一又は複数の連結部５３ｃによって例えば一体に連結されている。
【００２９】
例えば図４に示すように、「国」の文字が表示される文字表示部４２に対応するレンズ装着部５１では、台座部５３が「国」の文字を構成する「くにがまえ」によってその外側の外台座部５３ａと内側の内台座部５３ｂとに分離しており、それら外台座部５３ａと内台座部５３ｂとが、例えば３つの連結部５３ｃによって一体に連結されている。なお、この連結部５３ｃは光の通り道である開口部５２を横切るため、十分な強度を確保できる範囲でなるべく小さく（細く）形成することが望ましい。また、連結部５３ｃは、例えば文字を構成する線と線の繋ぎ目に沿わせる等、文字部分を発光させた際になるべく目立たない位置に配置することが望ましい。また、連結部５３ｃは透光性とすることが望ましい。
【００３０】
本体ケース４５の各レンズ装着部５１には、文字表示部４１〜４４に表示される各文字に対応する４種類のレンズ体４６が夫々前側から装着されている。文字表示部４１〜４４に対応する４つのレンズ体４６は、透光性を有する合成樹脂製で、対応する文字の種類によっては互いに独立した複数の部分で構成されている。レンズ体４６は、図４〜図７等に示すように、各文字の構成線に沿ってその略中央に配置され且つ前向きに突出する凸部５５と、各文字の構成線に沿って凸部５５の両側に配置され且つ例えば後向きに凹入する凹部５６と、凹部５６から外向きに突出する鍔部５７とを一体に備え、レンズ装着部５１の開口部５２に前側から嵌め込まれ、鍔部５７を突出部５４に略当接させた状態で、例えばその前側の前カバー４７により支持されている。凸部５５及び凹部５６は、例えば断面略円弧状に形成されており、凸部５５と凹部５６との間は、例えば後開きの傾斜部５８により一体に連結されている。
【００３１】
前カバー４７は、例えば遮光性の合成樹脂製で、本体ケース４５の各レンズ装着部５１に対応して夫々設けられ、例えば各レンズ装着部５１の台座部５３に対応する形状の略板状に形成されており、例えばレンズ装着部５１に対して前側から装着され、ネジ止め等により着脱自在に固定されている。なお、台座部５３が外台座部５３ａと内台座部５３ｂとを備えている場合には、前カバー４７もそれら外台座部５３ａ，内台座部５３ｂに対応する互いに独立した複数の部分で構成され、個別にレンズ装着部５１に対して装着されている。
【００３２】
前カバー４７は、図４〜図７等に示すように、台座部５３の前面側に沿う略板状の台板６１と、開口部５２の縁部に沿って台板６１の縁部から例えば前後方向に突出する縁取り部（外周部）６２とを例えば一体に備え、例えば台板６１の背面側に、本体ケース４５の裏側からネジ止めするためのネジ止め基部６３が複数設けられている。前カバー４７をレンズ装着部５１の前側に装着したとき、レンズ体４６は、その鍔部５７がレンズ装着部５１側の突出部５４と前カバー４７側の縁取り部６２とによって前後に挟まれることにより支持される。
【００３３】
レンズ体４６及び前カバー４７を本体ケース４５に装着したとき、レンズ体４６の凸部５５は縁取り部６２の前端部６２ａよりも前側（所定方向の一方側）に突出しており、またレンズ体４６の凹部５６は縁取り部６２の前端部６２ａよりも後側（所定方向の他方側）に凹入している。なお、本実施形態では、縁取り部６２の前端部６２ａに対する凸部５５の前向き突出量は一定であり、また縁取り部６２の前端部６２ａに対する凹部５６の凹入量も一定である。
【００３４】
発光基板４８は、例えば本体ケース４５の各レンズ装着部５１に対応して夫々設けられ、その前面側にはレンズ体４６の例えば凸部５５の後側に対応する位置に複数のＬＥＤ（発光体）６４が装着されており、本体ケース４５に対して後側から着脱自在に装着されている。発光基板４８のＬＥＤ６４は、レンズ体４６の凸部５５の長手方向に沿って例えば略等間隔で配置されている。
【００３５】
拡散手段４９は、ＬＥＤ６４から照射された光を拡散させるためのもので、透光性を有する合成樹脂製の板状に形成されており、発光基板４８とレンズ体４６との間に配置され、例えば本体ケース４５に対して後側から着脱自在に装着されている。拡散手段４９は、その少なくとも一面側、例えば背面側に凹凸加工、その他による光拡散部４９ａが形成されている。なお、光拡散部４９ａはレンズ体４６の後側或いはＬＥＤ６４の前側に対応する位置にのみ設けてもよいし、拡散手段４９の略全面に設けてもよい。
【００３６】
図８は、「国」の文字が表示された文字表示部４２における凹凸分布の概略を示している。同図に示すように、「国」の文字を縁取るように縁取り部６２が設けられており、その縁取り部６２の内側のレンズ体４６は、文字を構成する線に沿ってその中央に凸部５５が配置され、凸部５５とその両側の縁取り部６２との間に凹部５６が配置されている。このような凹凸分布は他の文字表示部４１，４３，４４も同様である。
【００３７】
以上説明したように、装飾プレート２８の前側の文字表示部４１〜４４には、夫々「戦」、「国」、「恋」、「姫」の各文字を構成するようにレンズ体４６が配置され、またそれら各文字を縁取るようにレンズ体４６の周囲に遮光性の縁取り部６２が配置されているが、レンズ体４６は、縁取り部６２の前端部６２ａよりも前側に突出する凸部５５と、縁取り部６２の前端部６２ａよりも後側に凹入する凹部５６とを備え、しかも凸部５５と縁取り部６２との間に凹部５６が配置されているため、見る角度によって各文字の見え方が変化し、ＬＥＤ６４を発光させた場合はもちろん発光させていない場合でも遊技者に立体感、奥行き感を感じさせることができる。
【００３８】
図９及び図１０は本発明の第２の実施形態を例示し、凸部５５の突出量及び凹部５６の凹入量を位置によって変化させた例を示している。第２の実施形態が第１の実施形態と異なるのはレンズ体４６の凹凸形状のみである。なお、図９（ａ），（ｂ）は、第１の実施形態における図６（ａ），（ｂ）と同様、図５におけるＡ−Ａ、Ｂ―Ｂ断面を示している。
【００３９】
図９，図１０に示すように、本実施形態の装飾プレート２８は、第１の実施形態と同様、文字を縁取るように縁取り部６２が設けられており、その縁取り部６２の内側のレンズ体４６は、文字を構成する線に沿ってその中央に、縁取り部６２の前端部６２ａよりも前側（所定方向の一方側）に突出する凸部（線状凸部）５５が配置され、凸部５５とその両側の縁取り部６２との間に、縁取り部６２の前端部６２ａよりも後側（所定方向の他方側）に凹入する凹部（線状凹部）５６が配置されているが、凸部５５の突出量及び凹部５６の凹入量は一定ではなく、長手方向に沿って変化している。
【００４０】
即ち、本実施形態のレンズ体４６では、凸部５５が第１凸部５５ａとこの第１凸部５５ａよりも突出量の大きい第２凸部５５ｂとを備え、また凹部５６が第１凹部５６ａとこの第１凹部５６ａよりも凹入量の大きい第２凹部５６ｂとを備えており、第１凸部５５ａと第２凸部５５ｂとの境界部及び第１凹部５６ａと第２凹部５６ｂとの境界部は例えば滑らかに接続されている。
【００４１】
本実施形態では、凸部５５に関しては長手方向略中央等の所定範囲が第２凸部５５ｂ、それ以外の範囲が第１凸部５５ａとなっており、凹部５６に関しては屈曲部、端部等の所定範囲が第２凹部５６ｂ、それ以外の範囲が第１凹部５６ａとなっている。このように、凸部５５の突出量及び凹部５６の凹入量を位置によって変化させてもよい。
【００４２】
図１１及び図１２は本発明の第３の実施形態を例示し、所定範囲内における内部領域に凹部５６を配置し、その所定範囲内における内部領域の外側の外部領域に凹部５６を配置した例を示している。第３の実施形態が第１の実施形態と異なるのはレンズ体４６の凹凸形状のみである。なお、図１１（ａ），（ｂ）は、第１の実施形態における図６（ａ），（ｂ）と同様、図５におけるＡ−Ａ、Ｂ―Ｂ断面を示している。
【００４３】
図１１，図１２に示すように、本実施形態の装飾プレート２８は、第１の実施形態と同様、文字を縁取るように縁取り部６２が設けられているが、その縁取り部６２の内側のレンズ体４６は、各文字単位（所定範囲）で、所定の内部領域に凹部５６が、その外側の外部領域に凸部５５が夫々配置されている。「国」の文字が表示された文字表示部４２の例では、図１１，図１２に示すように、内側の「玉」の部分を内部領域として凹部５６を配置し、その外側の「くにがまえ」の部分を外部領域として凸部５５を配置している。
【００４４】
また、内部領域の凹部５６は第１凹部５６ａとこの第１凹部５６ａよりも凹入量の大きい第２凹部５６ｂとを備えており、例えば文字を構成する線に沿ってその中央に第２凹部５６ｂが配置され、その第２凹部５６ｂとその両側の縁取り部６２との間に第１凹部５６ａが配置されている。同様に、外部領域の凸部５５は第１凸部５５ａとこの第１凸部５５ａよりも突出量の大きい第２凸部５５ｂとを備えており、例えば文字を構成する線に沿ってその中央に第２凸部５５ｂが配置され、その第２凸部５５ｂとその両側の縁取り部６２との間に第１凸部５５ａが配置されている。
【００４５】
このように、所定範囲内における内部領域に凹部５６を、外部領域に凹部５６を配置してもよい。もちろん、それとは逆に所定範囲内における内部領域に凸部５５を、外部領域に凹部５６を配置してもよい。
【００４６】
図１３及び図１４は本発明の第４の実施形態を例示し、所定範囲内における所定方向の両端側に凹部５６を、中央側に凸部５５を配置した例を示している。第４の実施形態が第１の実施形態と異なるのはレンズ体４６の凹凸形状のみである。なお、図１３（ａ），（ｂ）は、第１の実施形態における図６（ａ），（ｂ）と同様、図５におけるＡ−Ａ、Ｂ―Ｂ断面を示している。
【００４７】
図１３，図１４に示すように、本実施形態の装飾プレート２８は、第１の実施形態と同様、文字を縁取るように縁取り部６２が設けられているが、その縁取り部６２の内側のレンズ体４６は、各文字単位（所定範囲）で、左右方向（所定方向）の両端部側に凹部５６が、中央側に凸部５５が夫々配置されている。また、凹部５６は第１凹部５６ａとこの第１凹部５６ａよりも凹入量の大きい第２凹部５６ｂとを備え、凸部５５は第１凸部５５ａとこの第１凸部５５ａよりも突出量の大きい第２凸部５５ｂとを備えており、例えば左右方向の中央側から両端側にかけて突出量及び凹入量が例えば段階的に変化するように、第２凸部５５ｂ、第１凸部５５ａ、第１凹部５６ａ、第２凹部５６ｂの順に配置されている。
【００４８】
このように、所定範囲内における左右方向（所定方向）の両端側に凹部５６を、中央側に凸部５５を配置してもよい。もちろん、それとは逆に所定範囲内における左右方向（所定方向）の両端側に凸部５５を、中央側に凹部５６を配置してもよい。また、この場合の所定方向は左右方向に限られず、上下方向、斜め方向でもよい。
【００４９】
また、図１５に示すように、複数（ここでは２つ）の文字に跨がる範囲（所定範囲）で、左右方向（所定方向）の両端部側に凹部５６（又は凸部５５）を、中央側に凸部５５（又は凹部５６）を夫々配置してもよい。図１５の例では、文字表示部４２，４３における左右方向の中央側から両端側にかけて突出量及び凹入量が例えば段階的に変化するように、第２凸部５５ｂ、第１凸部５５ａ、第１凹部５６ａ、第２凹部５６ｂの順に配置されている。
【００５０】
図１６〜図２０は本発明の第５の実施形態を例示し、装飾プレート２８が文字表示部４１〜４４を分断する分離状態と文字表示部４１〜４４を一体化する合体状態との間で相対移動可能に構成した例を示している。
【００５１】
図１６に示すように、本実施形態の装飾プレート２８は、文字表示部４１〜４４における上下方向略中央で上部側の第１部材２８ａと下部側の第２部材２８ｂとに分断されている。第１部材２８ａは中央表示枠１４に対して移動不能に固定され、第２部材２８ｂは駆動機構７１により、第１部材２８ａと一体化する合体状態と第１部材２８ａの下側に離間する分離状態との間で移動可能となっている。なお、駆動機構７１は、第２部材２８ｂを上下方向に移動可能に支持する案内手段７１ａと、第２部材２８ｂを駆動するステッピングモータ等の駆動手段７１ｂとを備えている。もちろん、第１部材２８ａ側を駆動してもよいし、両部材２８ａ，２８ｂを共に駆動してもよい。
【００５２】
装飾プレート２８における第１部材２８ａと第２部材２８ｂとの分断位置は、図１７、図１８等に示すように、本体ケース４５、レンズ体４６及び前カバー４７については上下方向略中央で一致している（第１分断位置７２ａという）が、発光基板４８と拡散手段４９との分断位置は上下方向略中央ではなく上下一方側（ここでは上側）にずれている（第２分断位置７２ｂという）。即ち、第１部材２８ａ側の第１対向部７３ａと第２部材２８ｂ側の第２対向部７３ｂとは合体状態において互いに略当接するが、それら対向部７３ａ，７３ｂは前後方向に段差状となっている。このように構成することで、合体状態でＬＥＤ６４を発光させた際の分断位置からの光漏れを抑制できる。
【００５３】
また、合体状態のときの文字表示部４１〜４４の凹凸形状は、図１８〜図２０に示すように第２の実施形態における凹凸形状（図９，図１０）と同じである。また、第１対向部７３ａと第２対向部７３ｂとで前面側の凹凸形状が対応しており、合体状態のとき、前カバー４７の縁取り部６２、レンズ体４６の凸部５５及び凹部５６は第１分断位置７２ａにおいて上下に完全に一致するようになっている。
【００５４】
このように、装飾プレート２８を文字表示部４１〜４４を分断する分離状態と文字表示部４１〜４４を一体化する合体状態との間で相対移動可能としてもよい。もちろん、装飾プレート２８を３つ以上の部分に分離可能としてもよいし、直線状でなくジグザグ状等の任意の分断形状を採用してもよい。
【００５５】
以上、本発明の実施形態について詳述したが、本発明はこれらの実施形態に限定されるものではなく、本発明の趣旨を逸脱しない範囲で種々の変更が可能である。例えば、レンズ体４６の凹部５６は、縁取り部（外周部）６２の前端部６２ａよりも後側（所定方向の他方側）に凹入していればよく、レンズ体４６単体で凹部を形成している必要はない。即ち、例えば図２１（ａ）に示すように凹部５６を鍔部５７に真っ直ぐに繋がる平板部により構成してもよいし、図２１（ｂ）に示すように凹部５６が鍔部５７よりも前側に突出していてもよい。
【００５６】
凸部５５及び凹部５６の形状は任意であり、例えば図２１（ｃ）に示すように断面略円弧状ではなく平面部を有する角張った断面形状を採用してもよい。また、凸部５５と凹部５６との間に傾斜部５８は設けなくてもよいし、例えば任意の曲面等を設けてもよい。
【００５７】
実施形態では、各文字の構成線に沿ってその略中央に凸部５５を配置し、その凸部５５と両側の縁取り部６２との間に一対の凹部５６を配置したが、図２１（ｄ）に示すように、各文字の構成線に沿ってその略中央に凹部５６を配置し、その凹部５６と両側の縁取り部６２との間に一対の凸部５５を配置してもよい。
【００５８】
実施形態ではレンズ体４６及び縁取り部６２により文字を表示した例を示したが、文字以外のロゴやキャラクター等を表示してもよい。レンズ体４６は文字等の全部ではなく一部を構成してもよい。また、装飾プレート（所定部材）２８は、文字表示部４１〜４４等が遊技者から見えるように配置すればよく、文字表示部４１〜４４等が上向き、下向き、横向き、或いは斜めになるように配置してもよい。
【００５９】
装飾プレート２８等の所定部材の配置位置は遊技盤５の前側に限られず、遊技者から見える位置であれば例えば前枠４の前側等であってもよい。
【００６０】
また本発明は、パチンコ機に限らず、アレンジボール機、雀球遊技機、スロットマシン等の各種遊技機において同様に実施することが可能である。
【符号の説明】
【００６１】
２８    装飾プレート（所定部材）
２８ａ  第１部材
２８ｂ  第２部材
４６    レンズ体
５５    凸部
５６    凹部
５８    傾斜部
６２    縁取り部（外周部）
６４    ＬＥＤ（発光体）
７３ａ  第１対向部
７３ｂ  第２対向部
【図１】
2016154668.tif 000003
【図２】
2016154668.tif 000004
【図３】
2016154668.tif 000005
【図４】
2016154668.tif 000006
【図５】
2016154668.tif 000007
【図６】
2016154668.tif 000008
【図７】
2016154668.tif 000009
【図８】
2016154668.tif 000010
【図９】
2016154668.tif 000011
【図１０】
2016154668.tif 000012
【図１１】
2016154668.tif 000013
【図１２】
2016154668.tif 000014
【図１３】
2016154668.tif 000015
【図１４】
2016154668.tif 000016
【図１５】
2016154668.tif 000017
【図１６】
2016154668.tif 000018
【図１７】
2016154668.tif 000019
【図１８】
2016154668.tif 000020
【図１９】
2016154668.tif 000021
【図２０】
2016154668.tif 000022
【図２１】
2016154668.tif 000023
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
透光性を有するレンズ体と、前記レンズ体の外周側に設けられた非透光部とを有する所定部材を備え、
前記レンズ体は、
所定方向に第１の高さで位置する第１透光部と、
前記所定方向に前記第１の高さよりも低い第２の高さで位置する第２透光部とを有し、
前記非透光部は、前記所定方向に前記第１の高さよりも低く前記第２の高さよりも高い第３の高さで位置する外周部を有する
ことを特徴とする遊技機。
【請求項２】
前記外周部における前記所定方向の一端側と他端側とを前記第２の高さよりも高い位置に配置した
ことを特徴とする請求項１に記載の遊技機。
【手続補正２】
【補正対象書類名】明細書
【補正対象項目名】０００４
【補正方法】変更
【補正の内容】
【０００４】
例えば特許文献１に記載された従来の遊技機では、ロゴ部分を例えばその周辺部分よりも前側に突出させることによってロゴが浮かび上がって見えるようにしている。しかしながら、ロゴの表面は平面であるため、全体的に立体感が乏しく、また見る角度が変わっても見え方に大差がないために視覚的魅力に欠ける問題があった。
本発明は上記事情に鑑みてなされたものであり、所定部材に表された表示部分の立体感を高めることで視覚的魅力に溢れた遊技機を提供することを目的とする。
【手続補正３】
【補正対象書類名】明細書
【補正対象項目名】０００５
【補正方法】変更
【補正の内容】
【０００５】
本発明は、透光性を有するレンズ体４６と、前記レンズ体４６の外周側に設けられた非透光部４７とを有する所定部材を備え、前記レンズ体４６は、所定方向に第１の高さで位置する第１透光部５５と、前記所定方向に前記第１の高さよりも低い第２の高さで位置する第２透光部５６とを有し、前記非透光部４７は、前記所定方向に前記第１の高さよりも低く前記第２の高さよりも高い第３の高さで位置する外周部６２を有するものである。また、前記外周部６２における前記所定方向の一端側と他端側とを前記第２の高さよりも高い位置に配置してもよい。
また、透光性を有するレンズ体４６と、このレンズ体４６の外周に沿って設けられた外周部６２とを所定方向の一方側に有する所定部材２８を備え、前記レンズ体４６に、前記外周部６２よりも前記所定方向の一方側へ突出する凸部５５と、前記外周部６２よりも前記所定方向の他方側へ凹入する凹部５６とを設けてもよい。
また、前記凸部５５と前記外周部６２との間に前記凹部５６を配置してもよいし、前記凹部５６と前記外周部６２との間に前記凸部５５を配置してもよい。また、前記凸部５５と前記凹部５６との間に前記所定方向に対する傾斜部５８を設けてもよい。
前記凸部５５は前記所定方向に見て略線状に配置された線状凸部を備え、前記線状凸部における突出量を該線状凸部の長手方向に沿って変化させてもよい。また、前記凹部５６は前記所定方向に見て略線状に配置された線状凹部を備え、前記線状凹部における凹入量を該線状凹部の長手方向に沿って変化させてもよい。また、前記レンズ体４６の後側に、前記凸部５５に対応して発光体６４を配置してもよい。
また、所定領域内における内部領域に前記凸部５５又は前記凹部５６を配置し、前記所定領域内における前記内部領域の外側の外部領域に前記凹部５６又は前記凸部５５を配置してもよい。或いは、所定領域内の両端側に前記凸部５５又は前記凹部５６を、中央側に前記凹部５６又は前記凸部５５を配置し、それら両端側の前記凸部５５又は前記凹部５６と前記中央側の前記凹部５６又は前記凸部５５との間を滑らかに連結してもよい。
或いは、所定領域内の一端側に前記凸部５５又は前記凹部５６を、他端側に前記凹部５６又は前記凸部５５を配置し、それら一端側の前記凸部５５又は前記凹部５６と前記他端側の前記凹部５６又は前記凸部５５との間を滑らかに連結してもよい。前記外周部６２は遮光性としてもよい。
また、前記所定部材２８は、第１部材２８ａと第２部材２８ｂとを備え且つ前記第１部材２８ａ側の第１対向部７３ａと前記第２部材２８ｂ側の第２対向部７３ｂとが互いに近接又は当接する合体状態において所定形状を形成するように構成され、前記第１部材２８ａと前記第２部材２８ｂとは、前記第１対向部７３ａと前記第２対向部７３ｂとが離間する分離状態と前記合体状態との間で相対移動可能であり、前記第１対向部７３ａと前記第２対向部７３ｂとで凹凸形状を対応させてもよい。
また、前記レンズ体４６が、前記所定部材２８に表示される文字の少なくとも一部を構成するようにしてもよい。
【手続補正４】
【補正対象書類名】明細書
【補正対象項目名】０００６
【補正方法】変更
【補正の内容】
【０００６】
本発明によれば、所定部材に表された表示部分の立体感を高めることができ、視覚的魅力が向上する利点がある。